(57)【特許請求の範囲】
【請求項１】
相対的に移動自在に嵌合された内筒と外筒からなる嵌合二部材のいずれか一方の嵌合対向面に、クリックストップ溝を形成し、他方の嵌合対向面にのみ、板ばねを支持する板ばね挿入溝を形成し、
前記板ばね挿入溝に支持された板ばねと、前記クリックストップ溝との間に、上記板ばねによってクリックストップ溝側に付勢される係合部材を介在させたことを特徴とする嵌合二部材間のクリックストップ機構。
【請求項２】
請求項１記載の嵌合二部材間のクリックストップ機構において、上記板ばね挿入溝は、上記板ばねの両端部を支持する一対の支持部と、この一対の支持部の間に位置する、上記板ばねの弾性変形を許容する変形許容部とを備える嵌合二部材間のクリックストップ機構。
【請求項３】
請求項１または２記載の嵌合二部材間のクリックストップ機構において、上記板ばね挿入溝を有する嵌合部材に、上記係合部材の移動方向をクリックストップ溝に対する挿脱方向に規制する係合部材移動孔が形成されている嵌合二部材間のクリックストップ機構。
【請求項４】
請求項１ないし３のいずれか１項記載の嵌合二部材間のクリックストップ機構において、上記クリックストップ溝が、上記嵌合二部材の相対移動方向に複数個並んでおり、かつ、上記係合部材が、上記複数のクリックストップ溝のいずれかに選択的に係合する嵌合二部材間のクリックストップ機構。
【請求項５】
請求項１ないし４のいずれか１項記載の嵌合二部材間のクリックストップ機構において、上記係合部材が、球状のストップボールである嵌合二部材間のクリックストップ機構。
【請求項６】
請求項１ないし４のいずれか１項記載の嵌合二部材間のクリックストップ機構において、上記係合部材は、上記クリックストップ溝に係合する部分が、該クリックストップ溝の長手方向とほぼ同方向に母線が向く半円柱形をなすクリックピンである嵌合二部材間のクリックストップ機構。
【請求項７】
請求項１ないし６のいずれか１項記載の嵌合二部材間のクリックストップ機構において、上記嵌合二部材が、レンズ鏡筒内の環状二部材である嵌合二部材間のクリックストップ機構。
【請求項８】
請求項７記載の嵌合二部材間のクリックストップ機構において、上記環状二部材が光軸方向に相対移動自在であり、複数のクリックストップ溝が光軸方向に並んでいる嵌合二部材間のクリックストップ機構。
【請求項９】
請求項８記載の嵌合二部材間のクリックストップ機構において、上記環状二部材の一方は、ＡＦ位置とＭＦ位置との間を光軸方向に移動して、カメラの撮影状態をＡＦとＭＦとに切り換える切換環である嵌合二部材間のクリックストップ機構。
【請求項１０】
請求項７記載の嵌合二部材間のクリックストップ機構において、上記環状二部材が光軸を中心に相対回転自在であり、複数のクリックストップ溝が円周方向に並んでいる嵌合二部材間のクリックストップ機構。
【発明の詳細な説明】
【０００１】
【技術分野】
本発明は、相対移動自在に嵌合する嵌合二部材間のクリックストップ機構に関する。
【０００２】
【従来技術及びその問題点】
図１０は、この種の嵌合二部材間のクリックストップ機構をレンズ鏡筒の環状二部材間に適用した従来例を示す。レンズ鏡筒の固定鏡筒３０の外周には、切換環３１が光軸方向（紙面と垂直な方向）に移動自在に嵌まっている。この切換環３１は、例えばレンズ鏡筒のＡＦ（オートフォーカス）位置とＭＦ（マニュアルフォーカス）位置を切り替えるもので、その内周面（固定鏡筒３０との嵌合対向面）には、ともに環状をなすＡＦ状態保持溝（クリックストップ溝）３１ａとＭＦ状態保持溝（図ではＡＦ状態保持溝のみを図示）が光軸方向に並べて形成されている。
【０００３】
一方、固定鏡筒３０の内周面にはネジ３２により板ばね３３が固定されている。固定鏡筒３０に形成した径方向に貫通するボール移動孔３４にはストップボール３５が嵌合され、板ばね３３の弾性力によりストップボール３５は切換環３１側に常時付勢されており、ストップボール３５がＡＦ状態保持溝３１ａとＭＦ状態保持溝のいずれか一方に選択的に弾性係合することにより、切換環３１がＡＦ位置またはＭＦ位置に位置決めされる。切換環３１を例えば絞り設定環とするときには、その周方向に並べて複数のクリックストップ溝３１ｂを形成することもある。
【０００４】
しかし、このようなクリックストップ機構は、板ばね３３を固定鏡筒３０に固定するためのネジ３２が必要となるので部品点数が増加するとともに、板ばね３３を固定鏡筒３０の内側から固定鏡筒３０に取り付けているので、板ばね３３の固定鏡筒３０への組付作業が容易でなかった。
【０００５】
また、板ばねの代わりに、圧縮コイルばねを用いた装置では、圧縮コイルばねの挿入孔を形成しなければならないため、その孔の長さを確保しなければならず、さらに、圧縮コイルばねの挿入作業が困難という問題がある。
【０００６】
【発明の目的】
本発明は、部品点数が少なく、かつ組立性の良い嵌合二部材間のクリックストップ機構を提供することを目的とする。
【０００７】
【発明の概要】
本発明は、相対的に移動自在に嵌合された内筒と外筒からなる嵌合二部材のいずれか一方の嵌合対向面に、クリックストップ溝を形成し、他方の嵌合対向面にのみ、板ばねを支持する板ばね挿入溝を形成し、前記板ばね挿入溝に支持された板ばねと、前記クリックストップ溝との間に、上記板ばねによってクリックストップ溝側に付勢される係合部材を介在させたことを特徴としている。
【０００８】
上記板ばね挿入部は、上記板ばねの両端部を支持する一対の支持部と、この一対の支持部の間に位置する、上記板ばねの弾性変形を許容する変形許容部とを備える板ばね挿入溝であるのが好ましい。
【０００９】
上記板ばね挿入溝を有する嵌合部材に、上記係合部材の移動方向をクリックストップ溝に対する挿脱方向に規制する係合部材移動孔が形成されているのが好ましい。
【００１０】
また、上記クリックストップ溝が、上記嵌合二部材の相対移動方向に複数個並んでおり、かつ、上記係合部材が、上記複数のクリックストップ溝のいずれかに選択的に係合するのが好ましい。
【００１１】
上記係合部材を、球状のストップボールとすることができる。
【００１２】
また、上記係合部材を、上記クリックストップ溝に係合する部分が、該クリックストップ溝の長手方向とほぼ同方向に母線が向く半円柱形をなすクリックピンとするのが好ましい。
【００１３】
嵌合二部材の形状には自由度があるが、レンズ鏡筒に適用する場合には環状部材である。この環状二部材が、光軸方向に相対移動自在であるときには、複数のクリックストップ溝は光軸方向に並ぶこととなる。より具体的には、環状二部材の一方は、ＡＦ位置とＭＦ位置との間を光軸方向に移動して、カメラの撮影状態をＡＦとＭＦとに切り換える切換環とすることができる。
【００１４】
環状二部材が光軸を中心に相対回転自在であるときは、複数のクリックストップ溝は円周方向に並ぶこととなる。板ばね及び板ばね挿入溝の方向は、任意に設定することができる。
【００１５】
【発明の実施の形態】
以下、本発明を、レンズ鏡筒の環状二部材（固定環と切換環）の間のクリックストップ機構に適用した第１の実施形態について図１乃至図４を参照しながら説明する。
【００１６】
第１固定環１（内筒）の内側には、第１固定環１よりも径の小さい第２固定環２が配設されており、第１固定環１と第２固定環２は、図示しない後端部において固定されている。
第１固定環１の内周面には、光軸Ｏ方向への移動を不能に光軸Ｏ回りには回転自在に回転環３が支持されており、回転環３の後端部の内周面に形成されたギヤ３ａには、カメラ本体（図示略）に内蔵されたモータの駆動軸に連係された回転軸４のギヤ４ａが螺合している。
【００１７】
回転環３と第２固定環２の間には、前端部の内周面に撮影レンズ群Ｌを保持する移動環５が配設されており、移動環５の後端部に突設された半径方向の動力伝達ピン６は、回転環３の前端部の内周面に形成された光軸Ｏ方向を向く回転伝達溝３ｂに係合している。移動環５の後端部の内周面に形成された雌ネジ５ａは、固定環２の前端部の外周面に形成された雄ネジ２ａに螺合している。
【００１８】
第１固定環１の外側には、光軸Ｏ回りに回転自在かつ光軸方向に移動自在な環状の切換環８（外筒）が嵌合されており、切換環８の内周面（第１固定環１との嵌合対向面）にはともに環状をなすＭＦ状態保持溝（クリックストップ溝）８ａとＡＦ状態保持溝（クリックストップ溝）８ｂが光軸Ｏ方向に並べて設けられている。本実施形態のクリックストップ機構は、この第１固定環１と切換環８の間に設けられている。
【００１９】
第１固定環１には、切換環８との嵌合対向面に位置させて、周方向を向く板ばね挿入溝（板ばね挿入部）９が形成されている。この板ばね挿入溝９は、第１固定環１を貫通する細長い方形の変形許容部１０と、変形許容部１０の長さ方向の両端部に形成された段状凹部（支持部）１２とを有している。変形許容部１０の長さ方向の中央部には、ストップボール（係合部材）１４の径に対応するボール移動孔（係合部材移動孔）１１が形成されている。
【００２０】
板ばね１３は、この板ばね挿入溝９に挿入され（単に落とし込まれ）、両段状凹部１２にその両端部が支持される。板ばね１３の中央部は変形許容部１０に位置し、ボール移動孔１１に嵌合されたストップボール１４は、板ばね１３の中央部によって支持されている。板ばね１３（板ばね挿入溝９）の幅は、ストップボール１４（ボール移動孔１１）の径より小さい。以上のＭＦ状態保持溝８ａ、ＡＦ状態保持溝８ｂ、板ばね挿入溝９、板ばね１３、及びストップボール１４によりクリックストップ機構が構成されている。
【００２１】
このクリックストップ機構は従って、板ばね１３をこの板ばね挿入溝９に落とし込み、ボール移動孔１１にストップボール１４を挿入した状態で、第１固定環１の外周に切換環８を嵌合させて、ストップボール１４をＭＦ状態保持溝８ａまたはＡＦ状態保持溝８ｂに係合させると、組立が完了する。板ばねを固定するためにねじを用いる必要がない。そして、この状態では、図１、図２及び図４の実線で示すように、板ばね１３が変形許容部１０内において光軸Ｏ側に弾性変形させられ、このときに生じる板ばね１３の反力により、ストップボール１４はＭＦ状態保持溝８ａまたはＡＦ状態保持溝８ｂに選択的に弾性係合する。
【００２２】
ストップボール１４にＡＦ状態保持溝８ｂが係合すると、切換環８はＡＦ位置（図１の位置）に保持され、ストップボール１４にＭＦ状態保持溝８ａが係合すると、切換環８はＭＦ位置（図２の位置）に保持される。
【００２３】
第１固定環１と切換環８の間には、切換環８がＡＦ位置にあるとき、該切換環８の光軸Ｏ回りの回転を阻止するストッパ１ａとロックピン１５が設けられている。
【００２４】
また、切換環８と第１固定環１との間には、切換環８がＭＦ位置にあるとき、切換環８の回転を回転環３に伝達するクラッチ機構が設けられている。すなわち、切換環８の前端部に固定されたクラッチ環１６の後端面には、周方向に位置を異ならせて複数の連結ピン１７が後ろ向きに突設されている。連結ピン１７は、クラッチ環１６の後端面に形成された凹部１６ａに収納され、凹部１６ａ内に配設された圧縮ばね１８によって後方に付勢されており、凹部１６ａの直後に固定された抜け止め部材１９により凹部１６ａから抜け止めされている。また、回転環３の前端面には、この連結ピン１７に対応させて、周方向に位置を異ならせて多数のクラッチ溝３ｃが形成されており、切換環８をＭＦ位置に移動させると、この連結ピン１７とクラッチ溝３ｃが係合して、切換環８と回転環３が回転方向に一体化される。
【００２５】
従って、図１に示すように、切換環８をＡＦ位置に位置決めしたＡＦ状態において、カメラ本体のモータを作動させて回転軸４を回転させると、回転環３が光軸Ｏ回りに回転し、回転環３の回転力は回転伝達溝３ｂと動力伝達ピン６を介して移動環５に伝わり、移動環５が雌ネジ５ａと雄ネジ２ａの螺合関係を保持したまま、回転しながら光軸Ｏ方向に沿って移動し、撮影レンズ群Ｌのフォーカシングがなされる。
【００２６】
また、図２に示すように、切換環８をＭＦ位置に移動させると、ロックピン１５とストッパー１ａとの係合が解かれ、切換環８とクラッチ環１６の回転操作が可能となるとともに、回転環３のクラッチ溝３ｃと連結ピン１７が嵌合することにより、回転環３と切換環８が回転方向に結合される。従って、切換環８（クラッチ環１６）を手動操作により回転させると、移動環５が回転しながら光軸Ｏ方向に沿って移動し、撮影レンズ群Ｌのフォーカシングがなされる。
【００２７】
このような本実施形態によれば、ネジ等の固定手段を用いることなく板ばね１３を板ばね挿入溝９に挿入するだけで板ばね１３の支持ができるので、部品点数を増加させることなく第１固定環１と切換環８の間のクリックストップ機構を提供することができる。
【００２８】
さらに、板ばね挿入溝９にボール移動孔１１を設けてあるので、ストップボール１４は第１固定環１の径方向以外の方向に移動することはなく、切換環８をＡＦ位置とＭＦ位置に精度良く位置決めすることができる。
【００２９】
次に、本発明の第２の実施形態について図５乃至図９を参照しながら説明する。
なお、第１の実施形態と同様の部材には同じ符号を付すに止め、その詳細な説明は省略する。
【００３０】
本実施形態の特徴は、第１の実施形態のストップボール１４の代わりに、図９に単体形状を拡大して示すクリックピン（係合部材）２０を用いた点にある。
このクリックピン２０は、ほぼ半円柱形の係合部２０ａと、この半円柱状係合部２０ａに滑らかに連なる略直方体形状の摺動嵌合部２０ｂとからなっている。半円柱形の係合部２０ａは、その母線がＡＦ状態保持溝８ｂおよびＭＦ状態保持溝８ａの長手方向（第１固定環１の円周方向）とほぼ同方向を向いており、摺動嵌合部２０ｂは、その前後端面が光軸と直交する平面方向を向いている。また、摺動嵌合部２０ｂの底面は、板ばね１３に沿う曲面形状をなしている。
一方、第１固定筒１に形成されている周方向に長い変形許容部１０の長さ方向の中央部には、嵌合部２０ｂの前後両端部を第１固定筒１の径方向に摺動自在に嵌合させる、前後一対のピン移動孔（係合部材移動孔）２１が形成されている。
【００３１】
本実施形態のクリックストップ機構は、板ばね１３を板ばね挿入溝９に落とし込み、ピン移動孔２１にクリックピン２０の嵌合部２０ｂを嵌合し、かつ、クリックピン２０の底面を板ばね１３に当接させた状態で、第１固定環１の外周に切換環８を嵌合させて、クリックピン２０の係合部２０ａをＭＦ状態保持溝８ａまたはＡＦ状態保持溝８ｂに係合させると、組立が完了する。
【００３２】
クリックピン２０にＡＦ状態保持溝８ｂが係合すると、係合部２０ａの前面と後面がＡＦ状態保持溝８ｂの前面と後面にそれぞれ線接触して切換環８がＡＦ位置（図５の位置）に保持され、クリックピン２０にＭＦ状態保持溝８ａが係合すると、係合部２０ａの前面と後面がＭＦ状態保持溝８ａの前面と後面にそれぞれ線接触して切換環８がＭＦ位置（図６の位置）に保持される。
【００３３】
本実施形態によれば、クリックピン２０とＡＦ状態保持溝８ｂおよびＭＦ状態保持溝８ａが線接触した状態で係合するので、切換環８の切り換え時にクリックピン２０とＡＦ状態保持溝８ｂおよびＭＦ状態保持溝８ａとの間に生じる衝撃力が分散されるので、ストップボール１４を用いる第１の実施形態より円滑にＡＦとＭＦの切換動作を行うことができる。また、点接触するストップボール１４に比べ、ＡＦ状態保持溝８ｂおよびＭＦ状態保持溝８ａに傷ができにくくなるので、長期に渡り、ＭＦ位置にある切換環８をより円滑に光軸Ｏ回りに回転させることができる。
【００３４】
以上の第１および第２の実施形態は、光軸方向に移動してＡＦ状態とＭＦ状態を切り換える切換環８のクリックストップ機構に本発明を適用したものであるが、回転移動する切換環のクリックストップ機構にも本発明は同様に適用できる。すなわち、切換環に、図１０に鎖線で示したような周方向に並んだ複数のクリックストップ溝３１ｂを形成して、このクリックストップ溝をストップボール１４またはクリックピン２０に選択的に係合させることにより、切換環８を回転方向の所定の位置に位置決めするようにしてもよい。さらに、相対移動方向も、光軸方向、周方向に限られない。螺旋状の相対運動を行う機構にも本発明は適用できる。
【００３５】
また、両実施形態では、切換環８にＭＦ状態保持溝８ａとＡＦ状態保持溝８ｂを形成して、第１固定環１に板ばね挿入溝９を形成したが、切換環８に板ばね挿入溝９を形成して、第１固定環１にＭＦ状態保持溝８ａとＡＦ状態保持溝８ｂを形成してもよい。
【００３６】
さらに、両実施形態では本発明を環状二部材の間のクリックストップ機構に適用したが、本発明は環状以外の嵌合二部材間のクリックストップ機構に広く適用することができる。
【００３７】
【発明の効果】
本発明によれば、部品点数が少なく、かつ組立性の良い嵌合二部材間のクリックストップ機構が得られる。
【図面の簡単な説明】
【図１】本発明の第１の実施形態のレンズ鏡筒の上半部を示すＡＦ撮影時の縦断側面図である。
【図２】同じく、ＭＦ撮影時の図１と同様の縦断側面図である。
【図３】同じく、第１固定環と板ばねとストップボールを示す拡大平面図である。
【図４】同じく、図１のＡ‐Ａ矢視図である。
【図５】本発明の第２の実施形態のレンズ鏡筒の上半部を示すＡＦ撮影時の縦断側面図である。
【図６】同じく、ＭＦ撮影時の図１と同様の縦断側面図である。
【図７】同じく、第１固定環と板ばねとクリックピンを示す拡大平面図である。
【図８】同じく、図５のＢ‐Ｂ矢視図である。
【図９】同じく、クリックピンの拡大斜視図である。
【図１０】従来の位置決め装置の要部を示す拡大縦断正面図である。
【符号の説明】
１      第１固定環（嵌合二部材の一方の部材）
２      第２固定環
２ａ    雄ネジ
３      回転環
３ａ    ギヤ
４      回転軸
４ａ    ギヤ
５      移動環
５ａ    雌ネジ
６      動力伝達ピン
８      切換環（嵌合二部材の他方の部材）
８ａ    ＭＦ状態保持溝（クリックストップ溝）
８ｂ    ＡＦ状態保持溝（クリックストップ溝）
９      板ばね挿入溝（板ばね挿入部）
１０    変形許容部
１１    ボール移動孔（係合部材移動孔）
１２    段状凹部（支持部）
１３    板ばね
１４    ストップボール（係合部材）
１５    ロックピン
１６    クラッチ環
１６ａ  凹部
１７    連結ピン
１８    圧縮ばね
１９    抜け止め部材
２０    クリックピン（係合部材）
２０ａ  係合部
２０ｂ  摺動嵌合部
２１    ピン移動孔（係合部材移動孔）
Ｌ      撮影レンズ群
Ｏ      光軸
【図１】
0004056758.tif 000002
【図２】
0004056758.tif 000003
【図３】
0004056758.tif 000004
【図４】
0004056758.tif 000005
【図５】
0004056758.tif 000006
【図６】
0004056758.tif 000007
【図７】
0004056758.tif 000008
【図８】
0004056758.tif 000009
【図９】
0004056758.tif 000010
【図１０】
0004056758.tif 000011